(57)【特許請求の範囲】
【請求項１】
電力変換素子を含む発熱部と、
前記発熱部を冷却する冷却部と、
前記発熱部と前記冷却部とを収納するとともに、互いに対向する一対の側壁部と前記一対の側壁部を接続する接続壁部とを有する筐体部と、
前記筐体部とは別個に形成され、一方側に前記発熱部が配置され、他方側に前記冷却部が配置される仕切部とを備え、
前記側壁部が前記接続壁部に対して略垂直に配置された状態において、前記仕切部の外縁部が前記側壁部により側方に押圧されることにより、前記仕切部が前記側壁部の内側に固定されており、
前記側壁部の内側部分には、前記側壁部の一方端部近傍から他方端部近傍に亘って、前記仕切部の外縁部に係合する第１側壁部側係合部が設けられている、インバータ装置。
【請求項２】
前記側壁部の内側部分には、前記側壁部が前記接続壁部に略垂直な方向に対して傾斜可能に前記接続壁部の外縁部に係合する第２側壁部側係合部が設けられている、請求項１に記載のインバータ装置。
【請求項３】
前記仕切部の外縁部には、前記仕切部の仕切部本体に対して略垂直方向に突出する折曲部が設けられており、
前記折曲部は、前記第１側壁部側係合部に係合する、請求項１に記載のインバータ装置。
【請求項４】
前記接続壁部の外縁部には、前記接続壁部の接続壁部本体に対して略垂直方向に突出する接続壁部側突出部が設けられており、
前記接続壁部側突出部は、前記第２側壁部側係合部に係合する、請求項２に記載のインバータ装置。
【請求項５】
前記筐体部は、前記一対の側壁部および前記接続壁部の各々に略垂直に配置された状態で、前記一対の側壁部に固定される天板を含む、請求項１〜４のいずれか１項に記載のインバータ装置。
【請求項６】
前記第１側壁部側係合部は、前記側壁部が前記接続壁部に対して略垂直な方向に配置された状態で、前記折曲部を押圧する傾斜面を有する、請求項３に記載のインバータ装置。
【請求項７】
前記側壁部は、内側に向かって突出する側壁部側突出部を有し、
前記仕切部の外縁部は、前記側壁部側突出部の一方面に当接する仕切部側当接部を有する、請求項１〜６のいずれか１項に記載のインバータ装置。
【請求項８】
前記一対の側壁部が前記接続壁部に略垂直な方向から傾斜した状態において、前記仕切部が前記側壁部の内側側面に沿ってスライド移動可能に構成されている、請求項１〜７のいずれか１項に記載のインバータ装置。
【請求項９】
前記一対の側壁部は、前記仕切部の外縁部に沿った方向に押し出し成型されている、請求項１〜８のいずれか１項に記載のインバータ装置。
【発明の詳細な説明】
【技術分野】
【０００１】
この発明は、インバータ装置に関し、特に、仕切部を備えるインバータ装置に関する。
【背景技術】
【０００２】
従来、仕切部を備えるインバータ装置が知られている（たとえば、特許文献１参照）。
【０００３】
上記特許文献１には、内部板金（仕切部）を備えるインバータ装置が開示されている。このインバータ装置の内部板金の一方側には、放熱フィンが配置されており、内部板金の他方側には電気回路および電気部品が配置されている。そして、このインバータ装置には、内部板金を両側から挟むように配置され、内部板金に垂直に配置された一対の側面板金が設けられている。そして、内部板金と一対の側面板金とは、複数のネジを用いて締結されることにより、固定されている。
【先行技術文献】
【特許文献】
【０００４】
【特許文献１】特開２００５−２４３７４１号公報
【発明の概要】
【発明が解決しようとする課題】
【０００５】
しかしながら、上記特許文献１に記載されたインバータ装置では、内部板金と一対の側面板金とを固定するために、複数のネジが用いられている。このため、内部板金（仕切部）と一対の側面板金（一対の側壁部）とを固定するために、インバータ装置の部品点数が増加するとともに、インバータ装置の組立工程数が増加するという問題点がある。
【０００６】
この発明は、上記のような課題を解決するためになされたものであり、この発明の１つの目的は、仕切部と側壁部とを固定するために、インバータ装置の部品点数が増加するのを抑制することができるとともに、インバータ装置の組立工程数が増加するのを抑制することが可能なインバータ装置を提供することである。
【課題を解決するための手段】
【０００７】
上記目的を達成するために、この発明の一の局面によるインバータ装置は、電力変換素子を含む発熱部と、発熱部を冷却する冷却部と、発熱部と冷却部とを収納するとともに、互いに対向する一対の側壁部と一対の側壁部を接続する接続壁部とを有する筐体部と、筐体部とは別個に形成され、一方側に発熱部が配置され、他方側に冷却部が配置される仕切部とを備え、側壁部が接続壁部に対して略垂直に配置された状態において、仕切部の外縁部が側壁部により側方に押圧されることにより、仕切部が側壁部の内側に固定されており、側壁部の内側部分には、側壁部の一方端部近傍から他方端部近傍に亘って、仕切部の外縁部に係合する第１側壁部側係合部が設けられている。
【０００８】
この発明の一の局面によるインバータ装置では、上記のように、側壁部が接続壁部に対して略垂直に配置された状態において、仕切部の外縁部を側壁部により押圧することにより、仕切部を側壁部の内側に固定する。これにより、ネジ等の締結部材を用いることなく、仕切部を側壁部に固定することができる。その結果、仕切部と側壁部とを固定するために、インバータ装置の部品点数が増加するのを抑制することができるとともに、複数のネジなどの締結部材を用いて組み立てる場合に比べて、インバータ装置の組立工程数が増加するのを抑制することができる。
【００１０】
上記インバータ装置において、好ましくは、側壁部の内側部分には、側壁部が接続壁部に略垂直な方向に対して傾斜可能に接続壁部の外縁部に係合する第２側壁部側係合部が設けられている。このように構成すれば、ネジ等の締結部材を用いることなく、第２側壁部側係合部により側壁部と接続壁部とを係合させることができるので、インバータ装置の部品点数を削減することができるとともに、インバータ装置の組立工程数を削減することができる。また、側壁部と接続壁部とが係合した状態で、側壁部を接続壁部に略垂直な方向に対して傾斜することができるので、側壁部と接続壁部とを係合させた状態で、側壁部を接続壁部に対して傾斜させることにより、傾斜した一対の側壁部の間に仕切部を容易に配置することができる。
【００１１】
上記インバータ装置において、好ましくは、仕切部の外縁部には、仕切部の仕切部本体に対して略垂直方向に突出する折曲部が設けられており、折曲部は、第１側壁部側係合部に係合する。このように構成すれば、仕切部本体に対して略垂直方向に突出する折曲部を用いて、仕切部の外縁部と第１側壁部側係合部とを容易に係合することができる。
【００１２】
上記インバータ装置において、好ましくは、接続壁部の外縁部には、接続壁部の接続壁部本体に対して略垂直方向に突出する接続壁部側突出部が設けられており、接続壁部側突出部は、第２側壁部側係合部に係合する。このように構成すれば、接続壁部本体に対して略垂直方向に突出する接続壁部側突出部を用いて、接続壁部と第２側壁部側係合部とを容易に係合することができる。
【００１３】
上記インバータ装置において、好ましくは、筐体部は、一対の側壁部および接続壁部の各々に略垂直に配置された状態で、一対の側壁部に固定される天板を含む。このように構成すれば、天板により一対の側壁部を接続壁部に対して略垂直に配置された状態に固定することができるので、天板を配置することにより、一対の側壁部と仕切部とを固定する工程を別途設けることなく、一対の側壁部と仕切部とを固定することができる。その結果、インバータ装置の組立工程数を削減することができる。
【００１４】
上記インバータ装置において、好ましくは、第１側壁部側係合部は、側壁部が接続壁部に対して略垂直な方向に配置された状態で、折曲部を押圧する傾斜面を有する。このように構成すれば、仕切部本体または折曲部の寸法誤差や、折曲部の撓み変形が生じた場合でも、傾斜面により、確実に折曲部の突出方向の端部を押圧して、仕切部と側壁部とを固定することができる。
【００１５】
上記インバータ装置において、好ましくは、側壁部は、内側に向かって突出する側壁部側突出部を有し、仕切部の外縁部は、側壁部側突出部の一方面に当接する仕切部側当接部を有する。このように構成すれば、仕切部の外縁部が側壁部により押圧された状態で、側壁部側突出部の一方面と仕切部側当接部とが当接するので、より強固に仕切部と一対の側壁部とを固定することができる。
【００１６】
上記インバータ装置において、好ましくは、一対の側壁部が接続壁部に略垂直な方向から傾斜した状態において、仕切部が側壁部の内側側面に沿ってスライド移動可能に構成されている。このように構成すれば、インバータ装置の組立の際に、仕切部を一対の側壁部の内側側面に沿ってスライド移動させることにより、容易に一対の側壁部の内側に仕切部を配置することができる。
【００１７】
上記インバータ装置において、好ましくは、一対の側壁部は、仕切部の外縁部に沿った方向に押し出し成型されている。このように構成すれば、仕切部の外縁部に沿った方向に寸法が異なる複数の種類の側壁部を、同一の押し出し型により成形することができるので、インバータ装置の製造装置の複雑化を抑制することができる。
【発明の効果】
【００１８】
本発明によれば、上記のように、仕切部と側壁部とを固定するために、インバータ装置の部品点数が増加するのを抑制することができるとともに、インバータ装置の組立工程数が増加するのを抑制することができる。
【図面の簡単な説明】
【００１９】
【図１】本発明の第１実施形態によるインバータ装置の斜視図である。
【図２】本発明の第１実施形態によるインバータ装置の側面図である。
【図３】本発明の第１実施形態によるインバータ装置の構成を示す断面図である。
【図４】本発明の第１実施形態によるフレーム部材の構成を矢印Ｙ２方向側から見た図である。
【図５】本発明の第１実施形態による一対の側壁部がフレーム部材の外縁部を押圧していない状態の構成を示す断面図である。
【図６】図３の符号Ｅ１の領域を示す部分拡大図である。
【図７】図３の符号Ｅ２の領域を示す部分拡大図である。
【図８】本発明の第１実施形態による一対の側壁部を内側から見た側面図である。
【図９】本発明の第１実施形態による一対の側壁部がフレーム部材の突出部を押圧している状態を示す断面図である。
【図１０】本発明の第１実施形態による一対の側壁部とフレーム部材の外縁部の当接構造および一対の側壁部と冷却フィンとのラビリンス構造を説明するための断面図である。
【図１１】本発明の第１実施形態による一対の側壁部に対するフレーム部材のスライド移動を説明するための図である。
【図１２】本発明の第２実施形態によるインバータ装置の斜視図である。
【図１３】本発明の第２実施形態によるインバータ装置の断面図である。
【図１４】本発明の第２実施形態による一対の側壁部がフレーム部材の外縁部を押圧していない状態の構成を示す断面図である。
【図１５】図１３の符号Ｅ１１の領域を示す部分拡大図である。
【図１６】図１３の符号Ｅ１２の領域を示す部分拡大図と一対の側壁部と後側壁部との係合を説明するための図である。
【図１７】本発明の第２実施形態による天板と一対の側壁部との固定に関する構成を説明するための平面図である。
【発明を実施するための形態】
【００２０】
以下、本発明を具体化した実施形態を図面に基づいて説明する。
【００２１】
図１〜図１１を参照して、第１実施形態によるインバータ装置１００の構成について説明する。
【００２２】
［第１実施形態］
（インバータ装置の全体構成）
インバータ装置１００は、入力された直流または交流の電力を設定された交流の電力に変換して出力するように構成されている。そして、図１および図２に示すように、インバータ装置１００は、電力変換の際に熱が生じる電力変換素子１を含む電力変換回路１０と、電力変換回路１０を冷却する冷却フィン２０と、電力変換回路１０と冷却フィン２０とを収納する筐体部３０と、筐体部３０の内部の空気を排気するファン２１とを備える。なお、電力変換回路１０は、特許請求の範囲の「発熱部」の一例である。また、冷却フィン２０は、特許請求の範囲の「冷却部」の一例である。
【００２３】
筐体部３０は、図２に示すように、電力盤２００の内側に配置される前側筐体部３０ａと、電力盤２００の外側に配置される後側筐体部３０ｂとを含む。言い換えると、後側筐体部３０ｂは、電力盤２００の外側に露出されている。これにより、後側筐体部３０ｂは、外気に接触する。そして、インバータ装置１００は、後側筐体部３０ｂの下面（矢印Ｚ２方向側）に設けた不図示の吸気孔部や側面に設けた通気孔部５６ｃより、後側筐体部３０ｂの内部に外気（空気）を取り込んで、ファン２１により空気を排気することによって外気（空気）を後側筐体部３０ｂの内部において導風させるように構成されている。これにより、後側筐体部３０ｂに収納された冷却フィン２０が外気に接触することにより発熱した電力変換回路１０の冷却が行われる。
【００２４】
また、筐体部３０は、筐体部３０の矢印Ｚ１方向側および矢印Ｚ２方向側のそれぞれに設けられた固定部材３１ａを介して、ネジ等の締結部材４０を用いて電力盤２００の壁部（図２の点線部分）に固定されている。
【００２５】
なお、本願明細書では、説明の都合上、「前」、「後」、「上（天）」、「下（底）」、「左」および「右」という方向を指示する名称を用いているが、インバータ装置１００の配置状態（設置状態）が限定されるものではない。すなわち、前側筐体部３０ａが上方を向くように設置されてもよい。
【００２６】
また、以下の説明では、操作部３３ａが設けられている側を「前」（図中の矢印Ｙ１方向）として説明する。すなわち、「左」と記載した場合には、矢印Ｘ１方向、「右」と記載した場合には、矢印Ｘ２方向、「下（底）」と記載した場合には、矢印Ｚ２方向、「上（天）」と記載した場合には、矢印Ｚ１方向、「後」と記載した場合には、矢印Ｙ２方向を意味する。
【００２７】
（筐体部の構成）
筐体部３０は、図１に示すように、前側筐体部３０ａおよび後側筐体部３０ｂの側壁（左右方向の壁）を構成するとともに、互いに対向して延びる一対の側壁部５０を含む。また、筐体部３０は、前側筐体部３０ａおよび後側筐体部３０ｂの上側の壁を構成する天板３１と、前側筐体部３０ａおよび後側筐体部３０ｂの下側の壁を構成する底板３２とを含む。また、筐体部３０は、前側筐体部３０ａの矢印Ｙ１方向側において、一対の側壁部５０の矢印Ｙ１方向側の一方端部５４ａ近傍同士（図３参照）を接続する前側壁部３３と、後側筐体部３０ｂの矢印Ｙ２方向側において、一対の側壁部５０の矢印Ｙ２方向側の他方端部５４ｂ近傍同士（図３参照）を接続する後側壁部３４とを含む。すなわち、筐体部３０は、略直方体形状を有し、各面ごとに別個に形成された壁部が設けられている。なお、後側壁部３４は、特許請求の範囲の「接続壁部」の一例である。
【００２８】
ここで、第１実施形態では、図３に示すように、一対の側壁部５０は、それぞれ、Ｚ方向に押出し成形されている。すなわち、一対の側壁部５０は、追加工されていない部分においては、いずれの高さ位置（Ｚ方向の位置）におけるＸＹ平面に平行な断面形状は、略同一である。また、一対の側壁部５０は、たとえば、アルミニウムまたはアルミニウム合金を含み、一対の側壁部５０は、アルミ押し出しプレートとして形成されている。
【００２９】
以下の説明では、一対の側壁部５０のうちの矢印Ｘ２方向側に配置されている側壁部５０を一方側壁部５０ａとし、一対の側壁部５０のうちの矢印Ｘ１方向側に配置されている側壁部５０を他方側壁部５０ｂとする。一方側壁部５０ａと他方側壁部５０ｂとを特に区別しない場合には、単に一対の側壁部５０として説明する。なお、「内側」と記載した場合には、一方側壁部５０ａの矢印Ｘ１方向側または他方側壁部５０ｂの矢印Ｘ２方向側を意味するものとする。
【００３０】
天板３１および底板３２（図１参照）は、たとえば、鋳造成形されている。たとえば、天板３１および底板３２は、アルミニウムまたはアルミニウム合金等が鋳造されて（ダイカスト）成形されている。また、天板３１には、排気孔部３１ｂが設けられており、排気孔部３１ｂは、ファン２１による排気を通風するように構成されている。底板３２には、不図示の吸気孔部が設けられており、外気が吸気されるように構成されている。
【００３１】
前側壁部３３および後側壁部３４は、たとえば、板金（亜鉛メッキ鋼板）により形成されている。そして、前側壁部３３および後側壁部３４は、曲げ加工や打ち抜き加工等により成形されている。
【００３２】
ここで、第１実施形態では、図３に示すように、インバータ装置１００は、筐体部３０とは別個に形成され、一方側（矢印Ｙ１方向側）に電力変換回路１０が配置され、他方側（矢印Ｙ２方向側）に冷却フィン２０が配置されるフレーム部材６０を備える。すなわち、フレーム部材６０は、一対の側壁部５０の間に配置されており、電力変換回路１０と冷却フィン２０との境界面Ｓ（ＸＺ平面に平行な面）を形成する。そして、フレーム部材６０は、筐体部３０の内部において、冷却フィン２０が配置されている領域と、電力変換回路１０が配置されている領域とを仕切るように構成されている。なお、フレーム部材６０は、特許請求の範囲の「仕切部」の一例である。
【００３３】
また、フレーム部材６０は、たとえば、板金（亜鉛メッキ鋼板）により形成されている。フレーム部材６０は、筐体部３０の内部において、冷却フィン２０が配置され、冷却風が導風（通風）される領域と、電力変換回路１０が配置される領域とを仕切ることにより、領域間での熱干渉を抑制するとともに、領域間で塵等や液体（水）が通過することを抑制する。
【００３４】
そして、図４に示すように、フレーム部材６０のフレーム部材本体６０ａには、冷却フィン２０の一部を露出するように開口６１が設けられている。なお、フレーム部材本体６０ａとは、フレーム部材６０のうちのＸＺ平面に沿った平板状の部分を意味するものとして記載している。また、フレーム部材６０（フレーム部材本体６０ａ）には、冷却フィン２０に締結部材４０（図３参照）により締結されて固定可能に複数（たとえば、６個）のフィン固定用孔部６２が設けられている。また、フレーム部材６０（フレーム部材本体６０ａ）には、複数のコンデンサ１１が配置される複数（たとえば、４つ）のコンデンサ配置用孔部６３が設けられている。なお、フレーム部材本体６０ａは、特許請求の範囲の「仕切部本体」の一例である。
【００３５】
（フレーム部材と側壁部との固定に関する構造）
ここで、第１実施形態では、図５に示すように、インバータ装置１００は、一対の側壁部５０が、後側壁部３４に略垂直な方向（Ｙ方向）に対して外側（矢印Ａ１方向）に傾斜された状態で、フレーム部材６０の外縁部７０が一対の側壁部５０により押圧されずに、図６に示すように、一対の側壁部５０が、後側壁部３４に対して略垂直な方向（Ｙ方向）に配置された状態で、フレーム部材６０の外縁部７０が一対の側壁部５０により押圧されるように強圧構造が構成されている。以下、強圧構造を形成するための構成を説明する。
【００３６】
〈一対の側壁部と接続壁部との関係〉
詳細には、図７に示すように、第１実施形態では、一対の側壁部５０の内側部分には、一対の側壁部５０が後側壁部３４に略垂直な方向に対して傾斜可能に後側壁部３４の外縁部３４ｂに係合する係合溝部５１が設けられている。なお、係合溝部５１は、特許請求の範囲の「第２側壁部側係合部」の一例である。
【００３７】
なお、一方側壁部５０ａと後側壁部３４およびフレーム部材６０との係合に関する構成と、他方側壁部５０ｂと後側壁部３４およびフレーム部材６０との係合に関する構成とは、図３の中心線Ｃ１に対して略線対称に構成されているため、以下の説明では、一方側壁部５０ａと後側壁部３４およびフレーム部材６０との係合に関する構成を説明して、他方側壁部５０ｂと後側壁部３４およびフレーム部材６０との係合に関する構成の説明を省略する。
【００３８】
図７に示すように、後側壁部３４の外縁部３４ｂは、断面形状が略Ｌ字形状を有する。また、後側壁部３４は、ＸＺ平面に広がる平板状に形成された後側壁部本体と、後側壁部本体の外縁部３４ｂには後側壁部本体に対して垂直な方向（矢印Ｙ２方向）に略９０°に折り曲げられて形成された突出部３４ｃとから構成され、先端部３４ａが矢印Ｙ２方向に配置されている。すなわち、図３に示すように、後側壁部３４は、断面形状が略Ｕ字形状を有するように形成されている。なお、突出部３４ｃは、特許請求の範囲の「接続壁部側突出部」の一例である。
【００３９】
そして、係合溝部５１は、矢印Ｙ２方向に窪み、後側壁部３４の外縁部３４ｂの突出部３４ｃが嵌るとともに、外縁部３４ｂの先端部３４ａと接触する凹部５１ａを有する。また、係合溝部５１には、後側壁部３４の厚みｔ１よりも大きい開口幅Ｗ１を有する開口部５１ｂが設けられている。これにより、図７に示すように、係合溝部５１は、後側壁部３４の外縁部３４ｂと係合した状態で、矢印Ｚ１方向側から見て、一方側壁部５０ａが後側壁部３４に対して、係合溝部５１と外縁部３４ｂの先端部３４ａとの係合部分を支点Ｃ２として、略垂直な方向（Ｙ方向）から外側に開く方向（矢印Ａ１方向）に傾斜することが可能に構成されている。詳細には、一方側壁部５０ａが後側壁部３４に対して矢印Ａ１方向に傾斜した状態では、後側壁部３４の外縁部３４ｂの先端部３４ａが係合溝部５１の底部と接触した状態になり、外縁部３４ｂの突出部３４ｃの一部（先端部３４ａと反対側）が内側面５１ｃから離間した状態になる。また、後側壁部３４に略垂直な方向（Ｙ方向）よりも内側への一対の側壁部５０の回動は、突出部３４ｃと係合溝部５１の内側面５１ｃとが当接するため、規制されている。
【００４０】
〈フレーム部材と一対の側壁部との関係〉
第１実施形態では、図５に示すように、フレーム部材６０は、ＸＺ平面に広がる平板状に形成されたフレーム部材本体６０ａと、フレーム部材本体６０ａの外縁部７０には、フレーム部材本体６０ａに対して略垂直方向に突出する折曲部７１ａが形成された突出部７１が設けられている。そして、インバータ装置１００は、一対の側壁部５０が、後側壁部３４に略垂直な方向（Ｙ方向）に対して外側方向（矢印Ａ１方向）に傾斜された状態で、突出部７１が一対の側壁部５０により押圧されないで、一対の側壁部５０が後側壁部３４に対して略垂直な方向（Ｙ方向）に配置された状態で、突出部７１が一対の側壁部５０により押圧される。
【００４１】
具体的には、外縁部７０には、フレーム部材６０をフレーム部材本体６０ａに垂直な方向（矢印Ｙ１方向）に略９０°に折り曲げて折曲部７１ａを形成するとともに、さらにその先端側をフレーム部材本体６０ａに平行な方向（矢印Ｘ１方向）に略９０°に折り曲げて延長部７１ｂを形成した突出部７１が設けられている。
【００４２】
そして、第１実施形態では、一対の側壁部５０には、突出部７１の突出方向（矢印Ｙ１方向側）の端部７１ｃの近傍を押圧するとともに、突出部７１に対して傾斜する傾斜面５２が設けられている。詳細には、傾斜面５２および内側側面５３ａから構成され、側壁部５０の壁面からＸ２方向に窪んだ凹部が形成され、傾斜面５２および内側側面５３ａは、図８に示すように、一対の側壁部５０の矢印Ｚ１方向側の一方端部５４ｃから矢印Ｚ２方向側の他方端部５４ｄに渡って形成されている。なお、傾斜面５２は、特許請求の範囲の「第１側壁部側係合部」および「側壁部の内側部分」の一例である。
【００４３】
そして、図９に示すように、傾斜面５２は、一対の側壁部５０が後側壁部３４に対して略垂直な方向に配置された状態で、突出部７１の端部７１ｃに干渉する位置（点線部分）に設けられている。これにより、一対の側壁部５０が後側壁部３４に対して略垂直な方向に配置された状態では、傾斜面５２と突出部７１とが干渉するため、傾斜面５２と端部７１ｃ（角部）を含む端部７１ｃの近傍とが当接して、傾斜面５２から突出部７１に押圧力Ｆ１が生じることにより、突出部７１の折曲部７１ａが撓み変形する。
【００４４】
そして、突出部７１の折曲部７１ａが撓み変形することにより、突出部７１から傾斜面５２に反発力Ｆ２が生じる。すなわち、突出部７１と傾斜面５２とにより、一対の側壁部５０とフレーム部材６０との間に強圧構造が構成される。これにより、図３に示すように、フレーム部材６０は、一対の側壁部５０により、Ｘ方向の両側から押圧（強圧）されて、フレーム部材６０と一対の側壁部５０とが固定されている。
【００４５】
また、図６に示すように、第１実施形態では、一対の側壁部５０には、それぞれ、互いに対向する内側に向かって内側側面５３ａから突出する内側突出部５５が設けられている。そして、内側突出部５５は、突出部７１が傾斜面５２に押圧された状態で、フレーム部材６０の外縁部７０の矢印Ｙ２方向側の面７２に当接するように構成されている。なお、内側突出部５５は、特許請求の範囲の「側壁部側突出部」の一例である。また、面７２は、特許請求の範囲の「仕切部側当接部」の一例である。
【００４６】
詳細には、図１０に示すように、内側突出部５５は、内側側面５３ａに対して略垂直な側面５５ａと、この側面５５ａと連続して形成された内側側面５３ａに対して略平行な内側の側面５５ｂと、この側面５５ｂと連続して形成された内側側面５３ａに対して略垂直な側面５５ｃとを含む。また、内側突出部５５は、図８に示すように、一対の側壁部５０の矢印Ｚ１方向側の一方端部５４ｃから矢印Ｚ２方向側の他方端部５４ｄに渡って形成されている。なお、側面５５ａは、特許請求の範囲の「一方面」の一例である。
【００４７】
そして、突出部７１が傾斜面５２に押圧された状態では、突出部７１の折曲部７１ａが撓み変形するため、面７２と側面５５ａとが当接して、面７２から内側突出部５５の側面５５ａに対して押圧力Ｆ３が生じる。また、内側突出部５５の形状は略変化しないので、側面５５ａから面７２に対して押圧力Ｆ４が生じる。これにより、フレーム部材６０は、傾斜面５２と内側突出部５５とにより前後方向（Ｙ方向）の両側から挟まれた状態で、押圧（強圧）された状態になる。その結果、フレーム部材６０と一対の側壁部５０との前後方向における配置位置が固定される。
【００４８】
ここで、第１実施形態によるインバータ装置１００では、一対の側壁部５０とフレーム部材６０とを固定するためのネジ（締結部材）は設けられていない。すなわち、インバータ装置１００では、一対の側壁部５０とフレーム部材６０との間においてネジレス構造が構成されている。さらに、インバータ装置１００では、一対の側壁部５０と後側壁部３４とを固定するためのネジ（締結部材）も設けられていない。すなわち、インバータ装置１００では、一対の側壁部５０と後側壁部３４との間においてネジレス構造が構成されている。
【００４９】
また、図１１に示すように、第１実施形態では、筐体部３０は、一対の側壁部５０が後側壁部３４に略垂直な方向から傾斜した状態（押圧されていない状態）において、フレーム部材６０が一対の側壁部５０の内側側面５３ａ（Ｚ方向）に沿って、スライド移動可能に構成されている。すなわち、図５に示すように、一対の側壁部５０が後側壁部３４に対して略垂直な方向から傾斜された状態では、傾斜面５２と突出部７１とが接触しないので、突出部７１は傾斜面５２に押圧されず、互いに移動可能になる。
【００５０】
また、内側突出部５５は、フレーム部材６０がスライド移動される際に、ガイドとして機能する。すなわち、インバータ装置１００の組立の際に、フレーム部材６０の面７２を内側突出部５５の側面５５ａに接触させながら、フレーム部材６０をＺ方向にスライド移動させることにより、Ｙ方向の位置が定まった状態で、フレーム部材６０をＺ方向に移動させることが可能となる。なお、インバータ装置１００の組立方法（製造方法）の詳細については、後述する。
【００５１】
〈一対の側壁部と天板および底板との固定に関する構成〉
図１に示すように、第１実施形態では、筐体部３０は、一対の側壁部５０および後側壁部３４の各々に略垂直に配置されている天板３１および底板３２を含む。そして、天板３１および底板３２は、一対の側壁部５０が後側壁部３４に対して略垂直に配置された状態で、一対の側壁部５０に固定されている。
【００５２】
具体的には、天板３１は、一対の側壁部５０が後側壁部３４に対して略垂直に配置された状態で、天板３１が一対の側壁部５０に複数の締結部材４０により固定されている。一対の側壁部５０には、矢印Ｙ１方向側から矢印Ｙ２方向側に渡る複数の締結用孔部５６ａが形成されている。そして、締結部材４０が締結用孔部５６ａに配置された状態で、側壁部５０と天板３１とが締結される。これにより、一対の側壁部５０が後側壁部３４に対して略垂直に配置された状態に固定され、一対の側壁部５０がフレーム部材６０を押圧（強圧）して固定した状態になる。
【００５３】
底板３２は、筐体部３０の矢印Ｚ２方向側の壁部を構成する。そして、底板３２は、天板３１と同様に、一対の側壁部５０が後側壁部３４に対して略垂直に配置された状態で、底板３２が一対の側壁部５０に複数の締結部材４０により固定されている。
【００５４】
〈その他各部の固定に関する構成〉
前側壁部３３には、図１に示すように、操作部３３ａと、複数の締結用孔部３３ｂと、通気孔部３３ｃとが設けられている。そして、操作部３３ａは、ユーザからの操作を受け付けるように構成されている。また、前側壁部３３は、締結用孔部３３ｂを介して、複数の締結部材４０により、天板３１および底板３２にそれぞれ締結されて固定されている。通気孔部３３ｃは、前側筐体部３０ａ内に空気を通気可能に構成されている。
【００５５】
冷却フィン２０は、図３に示すように、フレーム部材６０に図示しないシール部材を介して複数の締結部材４０により固定されている。また、冷却フィン２０は、一対の側壁部５０と、フィン固定用孔部５６ｂ（図１参照）に配置された複数の締結部材４０により固定されている。
【００５６】
ファン２１は、図２に示すように、天板３１に固定されており、ファン２１は、天板３１の下方側（矢印Ｚ２方向側）で、かつ、冷却フィン２０の上方側（矢印Ｚ１方向側）に配置されている。
【００５７】
電力変換回路１０は、冷却フィン２０の矢印Ｙ１方向側に接触した状態で配置されている。これにより、電力変換回路１０から発生した熱が冷却フィン２０に伝熱される。コンデンサ１１は、図示しないシール部材を介して取り付け部材および締結部材により、フレーム部材６０のコンデンサ配置用孔部６３に固定されている。
【００５８】
（フレーム部材と一対の側壁部との間の防塵・防水構造）
次に、図６、図１０および図１１を参照して、第１実施形態によるフレーム部材６０と一対の側壁部５０との間の防塵・防水構造について説明する。
【００５９】
ここで、第１実施形態では、フレーム部材６０の外縁部７０に沿って設けられ、一対の側壁部５０に接触する外縁部７０が、一対の側壁部５０により押圧された状態で、一対の側壁部５０の傾斜面５２および内側突出部５５とフレーム部材６０の外縁部７０との間に傾斜面５２および内側突出部５５の矢印Ｚ方向全域に亘って当接構造が構成されている。
【００６０】
詳細には、図１１（ｂ）に示すように、外縁部７０の突出部７１は、フレーム部材６０の外縁部７０の矢印Ｚ１方向側の一方端部７０ａの近傍から矢印Ｚ２方向側の他方端部７０ｂの近傍に渡って設けられている。また、図６に示すように、一対の側壁部５０には、外縁部７０（Ｚ方向）に沿って設けられ、外縁部７０の突出部７１に接触する傾斜面５２、および、外縁部７０の面７２に面接触する側面５５ａが設けられている。すなわち、突出部７１の端部７１ｃが傾斜面５２に押圧（強圧）された状態で傾斜面５２に接触するとともに、外縁部７０の面７２が側面５５ａに当接（面接触）することにより、上下方向（Ｚ方向）全域に渡って、フレーム部材６０の外縁部７０と一対の側壁部５０との間では、液体が流れない構造となっており、かつ、塵等が通過しない構造となっている。すなわち、第１実施形態では、一対の側壁部５０とフレーム部材６０の外縁部７０との間に、当接構造としての防塵・防水構造が構成されている。
【００６１】
たとえば、筐体部３０の内部において、後側筐体部３０ｂ、すなわち、冷却フィン２０側（矢印Ｙ２方向側）から、フレーム部材６０の外縁部７０と一対の側壁部５０の内側側面５３ａとの間を介して、前側筐体部３０ａ内、すなわち、電力変換回路１０側（矢印Ｙ１方向側）に水が流れること、および、塵が通過することが抑制される構造となっている。
【００６２】
ここで、図１０に示すように、第１実施形態では、内側突出部５５の側面５５ｃ側において、一対の側壁部５０と冷却フィン２０の外縁部２２とにより、ラビリンス構造が形成されている。具体的には、冷却フィン２０の外縁部２２には、内側突出部５５が嵌るように内側に窪む凹部２２ａが設けられているとともに、凹部２２ａの矢印Ｙ２方向側に凸部２２ｂが設けられている。そして、内側突出部５５が凹部２２ａに嵌るとともに、一対の側壁部５０の内側側面５３ｂと凸部２２ｂとが近接（接触）することにより、冷却フィン２０の外縁部２２と、一対の側壁部５０との間（隙間）が迷路（ラビリンス）状に形成されている。これにより、冷却フィン２０の外縁部２２と一対の側壁部５０との間では、防塵・防水構造が構成されている。
【００６３】
なお、一対の側壁部５０とフレーム部材６０との間には、別部材としてのシール部材が配置されていない。また、一対の側壁部５０と冷却フィン２０との間には、別部材としてのシール部材が配置されていない。すなわち、第１実施形態によるインバータ装置１００では、フレーム部材６０および一対の側壁部５０との間にシール部材を配置しないで、防塵・防水構造が形成されている。
【００６４】
（インバータ装置の冷却に関する構造）
次に、図２を参照して、第１実施形態によるインバータ装置１００の冷却に関する構造について説明する。
【００６５】
インバータ装置１００には、発熱部としての電力変換回路１０が冷却フィン２０に接触した状態で配置されている。これにより、電力変換回路１０からの熱が冷却フィン２０に伝達する。
【００６６】
また、天板３１の矢印Ｙ２方向側に複数のファン２１が設けられている。また、一対の側壁部５０には、Ｘ方向に沿った複数の通気孔部５６ｃおよび５６ｄが設けられている。通気孔部５６ｃは、一対の側壁部５０の後側筐体部３０ｂに対応する部分で、かつ、冷却フィン２０の下方側（矢印Ｚ２方向側）に設けられている。通気孔部５６ｄは、一対の側壁部５０の前側筐体部３０ａに対応する部分で、かつ、電力変換回路１０の下方側（矢印Ｚ２方向側）に設けられている。さらに、図示していないが、底板３２には、吸気孔部が設けられている。
【００６７】
また、前側壁部３３には、複数の通気孔部３３ｃが設けられている。そして、ファン２１は、通気孔部５６ｃおよび底板３２に設けた上記吸気孔部から取り込んだ空気（外気）を、筐体部３０の内部で導風するとともに、筐体部３０の内部の空気を排気するように構成されている。そして、冷却フィン２０、電力変換回路１０およびコンデンサ１１は、導風される空気に接触することにより放熱される。これにより、電力変換回路１０およびコンデンサ１１が冷却される。
【００６８】
［第１実施形態によるインバータ装置の製造方法］
次に、図１〜図１１を参照して、第１実施形態によるインバータ装置１００の製造方法（組立方法）について説明する。
【００６９】
ここで、第１実施形態では、図示しない押出し成形型により、アルミニウムまたはアルミニウム合金がＺ方向に押し出し成型されて、図１１に示す筐体部３０を構成する一対の側壁部５０が形成される。そして、一対の側壁部５０は、各孔部（締結用孔部５６ａ、フィン固定用孔部５６ｂ、通気孔部５６ｃおよび５６ｄ）が追加工されて形成される。
【００７０】
そして、筐体部３０を構成する後側壁部３４とフレーム部材６０（図４参照）と前側壁部３３とが、板金（たとえば、亜鉛メッキ鋼板）等が打ち抜き加工および曲げ加工されて形成される。また、天板３１および底板３２が、ダイカスト（鋳造）により成形される。
【００７１】
そして、図７に示すように、後側壁部３４に一対の側壁部５０が取り付けられる。具体的には、一対の側壁部５０の係合溝部５１に後側壁部３４の外縁部３４ｂが嵌るように組み合わされる。詳細には、一対の側壁部５０が後側壁部３４に略垂直な方向（Ｙ方向）から傾斜された状態（図７（ａ）参照）で、後側壁部３４のＸ方向の両側から挟み込むように一対の側壁部５０が配置される。この状態において、一対の側壁部５０は、後側壁部３４に略垂直な方向（Ｙ方向）よりも内側への回動が規制された状態（図７（ｂ）参照）になっている。
【００７２】
そして、図１１に示すように、一対の側壁部５０が後側壁部３４に略垂直な方向（Ｙ方向）から傾斜された状態（図５参照）で、一対の側壁部５０の内側において、フレーム部材６０が矢印Ｚ１方向にスライド移動されて、所定の位置に配置される。この時、内側突出部５５の側面５５ａは、フレーム部材６０の移動におけるガイドとして機能する。
【００７３】
また、図３に示すように、一対の側壁部５０が後側壁部３４に略垂直な方向（Ｙ方向）から傾斜された状態で、冷却フィン２０が矢印Ｚ１方向にスライド移動されて、所定の位置に配置される。そして、冷却フィン２０とフレーム部材６０とが締結部材４０により締結されて固定される。
【００７４】
そして、図６に示すように、一対の側壁部５０が後側壁部３４に略垂直な方向に配置された状態にされる。この状態で、フレーム部材６０の突出部７１と一対の側壁部５０の傾斜面５２とがＺ方向全域に亘って当接するとともに、フレーム部材６０の面７２と内側突出部５５の側面５５ａとがＺ方向全域に亘って当接（面接触）する。これにより、フレーム部材６０の外縁部７０と一対の側壁部５０との間において防塵・防水構造が形成される。そして、図１０に示すように、冷却フィン２０の外縁部２２と、一対の側壁部５０の内側突出部５５（側面５５ｂおよび５５ｃ）および内側側面５３ｂとの間において、ラビリンス構造が形成される。
【００７５】
そして、図１および図２に示すように、一対の側壁部５０が後側壁部３４に略垂直な方向に配置された状態で、天板３１およびファン２１が一対の側壁部５０の矢印Ｚ１方向側に配置され、締結部材４０により、天板３１と一対の側壁部５０とが締結されて固定される。これにより、フレーム部材６０の突出部７１と一対の側壁部５０の傾斜面５２とが押圧（強圧）するとともに、傾斜面５２と突出部７１とが押圧（強圧）した状態で、フレーム部材６０と一対の側壁部５０とが固定される。また、冷却フィン２０と一対の側壁部５０とが、締結部材４０により締結されて固定される。
【００７６】
そして、底板３２と一対の側壁部５０とが締結されて固定される。また、電力変換回路１０およびコンデンサ１１がフレーム部材６０に図示しない締結部材により固定される。
【００７７】
そして、前側壁部３３が、天板３１および底板３２に締結部材４０により締結されて固定される。その後、第１実施形態によるインバータ装置１００の製造工程（組立工程）が終了される。
【００７８】
（第１実施形態の効果）
第１実施形態では、以下のような効果を得ることができる。
【００７９】
第１実施形態では、上記のように、側壁部５０が後側壁部３４に対して略垂直に配置された状態において、フレーム部材６０の外縁部７０を側壁部５０により押圧することにより、フレーム部材６０を側壁部５０に固定する。これにより、ネジ等の締結部材を用いることなく、フレーム部材６０を側壁部５０に固定することができる。その結果、フレーム部材６０と側壁部５０とを固定するために、インバータ装置１００の部品点数が増加するのを抑制することができるとともに、複数のネジなどの締結部材を用いて組み立てる場合に比べて、インバータ装置１００の組立工程数が増加するのを抑制することができる。
【００８０】
また、第１実施形態では、上記のように、側壁部５０の内側部分には、外縁部７０に係合する傾斜面５２が設けられている。これにより、側壁部５０の内側部分と外縁部７０とを係合することができるので、より強固にフレーム部材６０を側壁部５０に固定することができる。
【００８１】
また、第１実施形態では、上記のように、側壁部５０の内側部分に、側壁部５０が後側壁部３４に略垂直な方向に対して傾斜可能に後側壁部３４の外縁部３４ｂに係合する係合溝部５１が設ける。これにより、ネジ等の締結部材を用いることなく、係合溝部５１により側壁部５０と後側壁部３４とを係合させることができるので、インバータ装置１００の部品点数を削減することができるとともに、インバータ装置１００の組立工程数を削減することができる。また、側壁部５０と後側壁部３４とが係合した状態で、側壁部５０を後側壁部３４に略垂直な方向に対して傾斜することができるので、側壁部５０と後側壁部３４とを係合させた状態で、側壁部５０を後側壁部３４に対して傾斜させることにより、傾斜した一対の側壁部５０の間にフレーム部材６０を容易に配置することができる。
【００８２】
また、第１実施形態では、上記のように、フレーム部材６０の外縁部７０に、フレーム部材本体６０ａに対して略垂直方向に突出する折曲部７１ａが設けて、折曲部７１ａを、傾斜面５２に係合させる。これにより、フレーム部材本体６０ａに対して略垂直方向に突出する折曲部７１ａを用いて、フレーム部材６０の外縁部７０と傾斜面５２とを容易に係合することができる。
【００８３】
また、第１実施形態では、上記のように、後側壁部３４の外縁部３４ｂに、後側壁部３４の接続壁部本体に対して略垂直方向に突出する突出部３４ｃが設ける。突出部３４ｃは、係合溝部５１に係合するように構成する。これにより、接続壁部本体に対して略垂直方向に突出する突出部３４ｃを用いて、後側壁部３４と係合溝部５１とを容易に係合することができる。
【００８４】
また、第１実施形態では、上記のように、筐体部３０に、一対の側壁部５０および後側壁部３４の各々に略垂直に配置された状態で、一対の側壁部５０に固定される天板３１を設ける。これにより、天板３１により一対の側壁部５０を後側壁部３４に対して略垂直に配置された状態に固定することができるので、天板３１を配置することにより、一対の側壁部５０とフレーム部材６０とを固定する工程を別途設けることなく、一対の側壁部５０とフレーム部材６０とを固定することができる。その結果、インバータ装置１００の組立工程数を削減することができる。
【００８５】
また、第１実施形態では、上記のように、側壁部５０（凹部）に、側壁部５０が後側壁部３４に対して略垂直な方向に配置された状態で、折曲部７１ａを押圧する傾斜面５２を有する。これにより、フレーム部材本体６０ａまたは折曲部７１ａの寸法誤差や、折曲部７１ａの撓み変形が生じた場合でも、傾斜面５２により、確実に折曲部７１ａの突出方向の端部７１ｃを押圧して、フレーム部材６０と側壁部５０とを固定することができる。
【００８６】
また、第１実施形態では、上記のように、側壁部５０に、内側に向かって突出する内側突出部５５を設けて、外縁部７０に、内側突出部５５の側面５５ａに当接する面７２を設ける。これにより、外縁部７０が側壁部５０により押圧された状態で、内側突出部５５の側面５５ａと面７２とが当接するので、より強固にフレーム部材６０と一対の側壁部５０とを固定することができる。
【００８７】
また、第１実施形態では、上記のように、一対の側壁部５０が後側壁部３４に略垂直な方向から傾斜した状態において、フレーム部材６０が側壁部５０の内側側面５３ａに沿ってスライド移動可能にインバータ装置１００を構成する。これにより、インバータ装置１００の組立の際に、フレーム部材６０を一対の側壁部５０の内側側面５３ａに沿ってスライド移動させることにより、容易に一対の側壁部５０の内側にフレーム部材６０を配置することができる。
【００８８】
また、第１実施形態では、上記のように、一対の側壁部５０を、外縁部７０に沿った方向に押し出し成型する。これにより、外縁部７０に沿った矢印Ｚ方向に寸法が異なる複数の種類の側壁部５０を、同一の押し出し型により成形することができるので、インバータ装置１００の製造装置の複雑化を抑制することができる。
【００８９】
［第２実施形態］
次に、図１２〜図１７を参照して、第２実施形態によるインバータ装置３００の構成について説明する。この第２実施形態におけるインバータ装置３００は、一対の側壁部５０を後側壁部３４に略垂直な方向から外側に傾斜させた状態で、一対の側壁部５０がフレーム部材６０を押圧しないように構成されていた第１実施形態とは異なり、一対の側壁部３５０を後側壁部３３４に略垂直な方向から内側に傾斜させた状態で、一対の側壁部３５０がフレーム部材３６０を押圧しないように構成されている。なお、図中において上記第１実施形態と同様の構成の部分には、同一の符号を付して、説明を省略する。
【００９０】
図１２および図１３に示すように、第２実施形態によるインバータ装置３００は、筐体部３３０およびフレーム部材３６０を備える。筐体部３３０は、天板３３１、底板３３２、前側壁部３３３、後側壁部３３４、および、一対の側壁部３５０を含む。なお、フレーム部材３６０は、特許請求の範囲の「仕切部」の一例である。また、後側壁部３３４は、特許請求の範囲の「接続壁部」の一例である。
【００９１】
そして、図１４に示すように、フレーム部材３６０は、ＸＺ平面に広がる平板状に形成されたフレーム部材本体３６０ａと、フレーム部材本体３６０ａの外縁部３７０には、フレーム部材３６０をフレーム部材本体３６０ａに垂直な方向（矢印Ｙ１方向）側に略９０°折り曲げて折曲部３７１ｂが形成された突出部３７１が設けられている。なお、フレーム部材本体３６０ａは、特許請求の範囲の「仕切部本体」の一例である。
【００９２】
そして、図１４に示すように、一対の側壁部３５０には、一対の側壁部３５０が後側壁部３３４に略垂直な方向（Ｙ方向）に対して内側方向（矢印Ａ１１方向）に傾斜された状態で、突出部３７１に係合しないで、図１５に示すように、一対の側壁部３５０が後側壁部３３４に対して略垂直な方向（Ｙ方向）に配置された状態で、突出部３７１に係合される第２係合溝部３５２が設けられている。なお、第２係合溝部３５２は、特許請求の範囲の「第１側壁部側係合部」の一例である。
【００９３】
そして、図１５に示すように、第２実施形態では、一対の側壁部３５０が後側壁部３３４に対して略垂直に配置された状態において、フレーム部材３６０の外縁部３７０が一対の側壁部３５０により外側方向に押圧されることにより、フレーム部材３６０が一対の側壁部３５０に固定されている。
【００９４】
詳細には、第２係合溝部３５２には、突出部３７１の先端部３７１ａの近傍を押圧するとともに、突出部３７１に対して傾斜する傾斜面３５２ｂを含む、係合突出部３５２ａが設けられている。係合突出部３５２ａは、フレーム部材３６０の折曲部３７１ｂの突出方向（矢印Ｙ１方向）とは反対方向（矢印Ｙ２方向）に突出するとともに、Ｘ方向に見て、折曲部３７１ｂにオーバーラップするように構成されている。
【００９５】
そして、図１５に示すように、第２係合溝部３５２の矢印Ｘ２方向側の内側側面３５３ａと突出部３７１の折曲部３７１ｂとの間には、隙間ＣＬ１が設けられており、図１４に示すように、一対の側壁部３５０がＹ方向に対して矢印Ａ１１方向に傾斜された状態では、第２係合溝部３５２と突出部３７１の折曲部３７１ｂとは係合しない。
【００９６】
したがって、第２実施形態においても、第１実施形態の筐体部３０と同様に、筐体部３３０は、一対の側壁部３５０が後側壁部３３４に略垂直な方向（Ｙ方向）から矢印Ａ１１方向に傾斜した状態において、フレーム部材３６０が一対の側壁部３５０の内側側面３５３ａに沿って、スライド移動可能に構成されている。
【００９７】
そして、図１５に示すように、一対の側壁部３５０が後側壁部３３４に略垂直な方向（Ｙ方向）になるように配置された状態では、傾斜面３５２ｂが突出部３７１の先端部３７１ａを押圧することにより、一対の側壁部３５０とフレーム部材３６０との間に強圧構造が形成されて、一対の側壁部３５０とフレーム部材３６０とが固定される。また、一対の側壁部３５０によりフレーム部材３６０が押圧されることにより、一対の側壁部３５０とフレーム部材３６０との間に防塵・防水構造が形成される。
【００９８】
また、一対の側壁部３５０は、それぞれ、互いに対向する内側に向かって突出する内側突出部３５５を含み、フレーム部材３６０の外縁部３７０は、突出部３７１の先端部３７１ａの近傍が一対の側壁部３５０に押圧された状態で、内側突出部３５５の側面３５５ａに当接する面３７２を含む。これによっても、一対の側壁部３５０とフレーム部材３６０との間に防塵・防水構造が形成される。なお、内側突出部３５５は、特許請求の範囲の「側壁部側突出部」の一例である。また、側面５５ａは、特許請求の範囲の「一方面」の一例である。
【００９９】
また、冷却フィン３２０の外縁部３２２には、内側突出部３５５と嵌め合う凹部３２２ａと、内側突出部３５５の矢印Ｙ２方向側の側面３５５ｃに近接する凸部３２２ｂとが設けられている。そして、一対の側壁部３５０の内側突出部３５５の側面３５５ｂおよび３５５ｃ、および、内側側面３５３ｂと、冷却フィン３２０の凹部３２２ａおよび凸部３２２ｂとにより、ラビリンス構造が形成されている。これにより、一対の側壁部３５０と冷却フィン３２０との間に防塵・防水構造が形成される。なお、また、冷却フィン３２０は、特許請求の範囲の「冷却部」の一例である。
【０１００】
図１６に示すように、一対の側壁部３５０には、一対の側壁部３５０が後側壁部３３４に略垂直な方向に対して傾斜可能に後側壁部３３４の突出部３３４ａに係合する第１係合溝部３５１が設けられている。なお、突出部３３４ａは、特許請求の範囲の「接続壁部の外縁部」の一例である。第１係合溝部３５１は、特許請求の範囲の「第２側壁部側係合部」の一例である。
【０１０１】
具体的には、第１係合溝部３５１は、一対の側壁部３５０において内側に開口部を有し、矢印Ｙ１方向に窪むように構成されている。また、後側壁部３３４には、外縁部に矢印Ｙ１方向に突出する突出部３３４ａが設けられている。また、突出部３３４ａには、段差部３３４ｂが設けられている。
【０１０２】
そして、図１６（ａ）に示すように、後側壁部３３４の突出部３３４ａと、一対の側壁部３５０の第１係合溝部３５１とは、一対の側壁部３５０が矢印Ａ１２方向に傾斜された状態で、嵌め合わされるように構成されている。
【０１０３】
また、図１６（ｂ）に示すように、後側壁部３３４の突出部３３４ａと、一対の側壁部３５０の第１係合溝部３５１とが係合した状態では、突出部３３４ａと第１係合溝部３５１の突出部３５１ａとが接触することにより、一対の側壁部３５０の外側への回動が規制される。一方、突出部３３４ａと第１係合溝部３５１の側面３５１ｂとの間に、隙間ＣＬ２が設けられているとともに、段差部３３４ｂと突出部３５１ａとの間に、隙間ＣＬ３が設けられていることにより、図１６（ｃ）に示すように、インバータ装置３００は、後側壁部３３４の突出部３３４ａと、一対の側壁部３５０の第１係合溝部３５１とが係合した状態で、一対の側壁部３５０がＹ方向から内側（矢印Ａ１１方向側）に傾斜可能に構成されている。
【０１０４】
図１７に示すように、天板３３１は、一対の側壁部３５０が後側壁部３３４に対して略垂直に配置された状態で、締結用孔部３３１ａに配置された締結部材４０により一対の側壁部３５０に固定されている。そして、フレーム部材３６０は、第１実施形態によるフレーム部材６０と同様に、天板３３１が一対の側壁部３５０に固定された状態で、一対の側壁部３５０が後側壁部３３４に対して略垂直に配置されて、外縁部３７０が一対の側壁部３５０により押圧されている。これにより、天板３３１と一対の側壁部３５０とフレーム部材３６０とが固定される。なお、第２実施形態のその他の構成は、上記第１実施形態と同様である。
【０１０５】
［第２実施形態によるインバータ装置の製造方法］
次に、図１２〜図１７を参照して、第２実施形態によるインバータ装置３００の製造方法（組立方法）について説明する。なお、第１実施形態によるインバータ装置１００の製造方法と同様の内容については説明を省略する。
【０１０６】
ここで、第２実施形態では、図１６（ａ）および図１６（ｂ）に示すように、後側壁部３３４に一対の側壁部５０が取り付けられる。具体的には、一対の側壁部３５０が矢印Ａ１２方向に傾けられた状態で、一対の側壁部３５０の第１係合溝部３５１に後側壁部３３４の突出部３３４ａが嵌るように組み合わされる。
【０１０７】
そして、図１４に示すように、一対の側壁部５０が後側壁部３４に略垂直な方向（Ｙ方向）から内側（矢印Ａ１１方向側）に傾斜された状態で、一対の側壁部５０の内側において、フレーム部材６０が矢印Ｚ１方向にスライド移動されて、所定の位置に配置される。この時、内側突出部３５５の側面３５５ａおよび第２係合溝部３５２は、フレーム部材３６０の移動におけるガイドとして機能する。
【０１０８】
その後、図１７に示すように、一対の側壁部３５０が後側壁部３３４に略垂直な方向に配置された状態で天板３３１と、一対の側壁部３５０とが固定される。これにより、フレーム部材３６０の突出部３７１と一対の側壁部３５０の傾斜面３５２ｂにとがＺ方向全域に亘って当接するとともに、フレーム部材３６０の面３７２と内側突出部３５５の側面３５５ａとがＺ方向全域に亘って当接（面接触）する。これにより、フレーム部材３６０の外縁部３７０と一対の側壁部３５０との間において防塵・防水構造が形成される。そして、冷却フィン３２０の外縁部３２２と、一対の側壁部３５０の内側突出部３５５および内側側面３５３ｂとの間において、ラビリンス構造が形成される。また、天板３３１には、通気孔部３３１ｂが設けられており、冷却フィン３２０等に外気が導風されて、冷却フィン３２０から放熱が行われる。なお、第２実施形態のその他の製造方法は、上記第１実施形態と同様である。
【０１０９】
（第２実施形態の効果）
第２実施形態では、以下のような効果を得ることができる。
【０１１０】
第２実施形態では、上記のように、フレーム部材３６０の外縁部３７０に、後側壁部３３４に対して略垂直方向に突出するとともに、一対の側壁部３５０に沿って延びる突出部３７１が設ける。そして、一対の側壁部３５０に、一対の側壁部３５０が後側壁部３３４に略垂直な方向に対して内側方向に傾斜された状態で、突出部３７１に係合しないで、一対の側壁部３５０が後側壁部３３４に対して略垂直な方向に配置された状態で、突出部３７１に係合されている第２係合溝部３５２を設ける。これにより、インバータ装置３００の組立の際に、一対の側壁部３５０を後側壁部３３４に略垂直な方向に対して内側に傾斜された状態にすれば、容易に突出部３７１と第２係合溝部３５２とが係合しない状態で、フレーム部材６０を一対の側壁部３５０の対応する位置に配置することができる。また、インバータ装置３００の組立の際に、一対の側壁部３５０を後側壁部３３４に対して略垂直な方向に配置された状態にすれば、容易に突出部３７１と第２係合溝部３５２とが係合する状態にすることができる。なお、第２実施形態のその他の効果は、上記第１実施形態と同様である。
【０１１１】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１１２】
たとえば、上記第１および第２実施形態では、インバータ装置を電力盤に固定する例を示したが、本発明はこれに限られない。すなわち、インバータ装置を電力盤に固定せずに、単体で配置されていてもよい。
【０１１３】
また、上記第１および第２実施形態では、一対の側壁部とフレーム部材とをＺ方向全域に亘って当接する例を示したが、防塵・防水構造を必要としない場合は、Ｚ方向全域に亘って当接させる必要はない。たとえば、強度的に問題のない範囲でＺ方向の複数個所で一対の側壁部とフレーム部材とを当接させるように構成することで、一対の側壁部とフレーム部材との間でネジレス構造を実現することができる。
【０１１４】
また、上記第１および第２実施形態では、インバータ装置を、フレーム部材が一対の側壁部に対してスライド移動可能に構成する例について示したが、本発明はこれに限られない。たとえば、インバータ装置の組立が複雑になることに問題がなければ、一対の側壁部を傾斜させた状態で、前側（矢印Ｙ１方向側）からフレーム部材を配置可能に、インバータ装置を構成してもよい。
【０１１５】
また、上記第１および第２実施形態では、天板を一対の側壁部に固定することにより、一対の側壁部が後側壁部に対して略垂直に配置された状態に固定する例について示したが、本発明はこれに限られない。すなわち、天板以外の固定部材により一対の側壁部が後側壁部に対して略垂直に配置された状態に固定してもよい。たとえば、一対の側壁部と後側壁部底板とを直接締結部材等により、一対の側壁部が後側壁部に対して略垂直に配置された状態に固定してもよい。なお、天板を用いて一対の側壁部が後側壁部に対して略垂直に配置された状態に固定すれば、一対の側壁部と後側壁部底板との間でネジレス構造を形成することができる。
【０１１６】
また、上記第１および第２実施形態では、フレーム部材の外縁部に、突出方向が前側（矢印Ｙ１方向側）の突出部を設ける例を示したが、本発明はこれに限られない。すなわち、フレーム部材の外縁部に、突出方向が後側（矢印Ｙ２方向側）の突出部を設けてもよい。
【０１１７】
また、上記第１および第２実施形態では、一対の側壁部を押出し成形により成形し、フレーム部材を曲げ加工により成形し、天板および底板をダイカストにより成形する例を示したが、本発明はこれに限られない。すなわち、一対の側壁部、フレーム部材、天板および底板は、インバータ装置の種類等に応じて適宜成形方法を変更してもよい。なお、一対の側壁部は、押出し成形すれば、異なるインバータ装置同士において部品を共通化することが可能になるため好ましい。
【０１１８】
また、上記第１および第２実施形態では、フレーム部材を単体で一対の側壁部にスライド移動して配置する例を示したが、本発明はこれに限られない。すなわち、フレーム部材に冷却フィンを固定した状態で、フレーム部材を一対の側壁部にスライド移動して配置してもよい。
【符号の説明】
【０１１９】
１  電力変換素子
１０  電力変換回路（発熱部）
２０、３２０  冷却フィン（冷却部）
３０、３３０  筐体部
３１、３３１  天板
３４、３３４  後側壁部（接続壁部）
３４ｂ  外縁部（接続壁部の外縁部）
５０、３５０  側壁部
５１  係合溝部（第２側壁部側係合部）
５２、３５２ｂ  傾斜面（第１側壁部側係合部）
５３ａ、３５３ａ  内側側面
５５、３５５  内側突出部（側壁部側突出部）
５５ａ、３５５ａ  側面（一方面）
６０、３６０  フレーム部材（仕切部）
６０ａ、３６０ａ  フレーム部材本体（仕切部本体）
７０、３７０  外縁部（仕切部の外縁部）
７１、３７１  突出部（仕切部の外縁部）
７１ａ、３７１ｂ  折曲部
７２、３７２  面（仕切部側当接部）
１００、３００  インバータ装置
３３４ｂ  外縁部（接続壁部の外縁部）
３５１  第１係合溝部（第２側壁部側係合部）
３５２  第２係合溝部（第１側壁部側係合部）
【図１】
0006988118.tif 000002
【図２】
0006988118.tif 000003
【図３】
0006988118.tif 000004
【図４】
0006988118.tif 000005
【図５】
0006988118.tif 000006
【図６】
0006988118.tif 000007
【図７】
0006988118.tif 000008
【図８】
0006988118.tif 000009
【図９】
0006988118.tif 000010
【図１０】
0006988118.tif 000011
【図１１】
0006988118.tif 000012
【図１２】
0006988118.tif 000013
【図１３】
0006988118.tif 000014
【図１４】
0006988118.tif 000015
【図１５】
0006988118.tif 000016
【図１６】
0006988118.tif 000017
【図１７】
0006988118.tif 000018